(57)【要約】【課題】サムターンの不正解除を行ないにくく、通常の使用時に邪魔にならず、取付作業あるいは部品点数的にも有利なサムターンの不正解除防止装置を提供する。【解決手段】室内側に設けられたつまみ部１１を回動することによりデッドボルト３を鍵箱１より出没させるサムターン１０において、つまみ部１１を軸直角断面円形状としたことを特徴とする。【選択図】            図１
2004156401.tif 000002
【特許請求の範囲】
【請求項１】
室内側に設けられたつまみ部（１１）を回動することにより軸部（１２）及び締まり機構（Ｍ）を介してデッドボルト（３）を鍵箱（１）より出没させるサムターンにおいて、前記つまみ部（１１）を軸直角断面円形状としたことを特徴とするサムターンの不正解除防止装置。
【請求項２】
前記つまみ部（１１）は、外周面を中高の円弧面としたことを特徴とする請求項１に記載のサムターンの不正解除防止装置。
【請求項３】
前記サムターン（１０）は、前記つまみ部（１１）と化粧板（１４）との間に設けられたカラー部材（１３）を軸直角断面円形状としたことを特徴とする請求項１又は２に記載のサムターンの不正解除防止装置。
【請求項４】
前記カラー部材（１３）は、前記軸部（１２）を中心として回動し得るように設けたことを特徴とする請求項１〜３のいずれかに記載のサムターンの不正解除防止装置。
【請求項５】
前記つまみ部（１１）は、既設サムターン（４）のつまみ体（４ａ）が嵌合する嵌合溝（２０）を前記軸部（１２）に有する請求項１〜４のいずれかに記載のサムターンの不正解除防止装置。
【請求項６】
前記軸部（１２）は、既設サムターン（４）のつまみ体（４ａ）と連結する固定部材（２２）を有する請求項５に記載のサムターンの不正解除防止装置。
【請求項７】
前記サムターン（１０）は、前記つまみ部（１１）又はカラー部材（１３）が回動すると、警報装置（３０）が作動するようにしたことを特徴とする請求項１〜６のいずれかに記載のサムターンの不正解除防止装置。
【発明の詳細な説明】
【０００１】
【発明の属する技術分野】
本発明は、サムターンの不正解除防止装置に関する。
【０００２】
【従来の技術】
一般に、シリンダ錠は、図６に示すように、鍵箱１の取付孔Ｏに挿通して設けられ、室外側から鍵２を挿入して回動すると、鍵箱１内の締まり機構（図示せず）がデッドボルト３を鍵箱１より出没し、ストライクプレート（図示せず）との係合−非係合を行なう。
【０００３】
また、室内側には、サムターン４が設けられ、このサムターン４を回動することによりデッドボルト３を室内側から同様に操作できる構成となっている。
【０００４】
図中、「５」は室外側レバー、「６」は室内側レバー、「７」はラッチボルト、「８」は固定リング、「９」は座金である。
【０００５】
しかし、最近では、サムターン４を外部から操作し、デッドボルト３を不正に解除する事件が発生している。例えば、ドアと枠の隙間やドアにドリルで穴を明け、外部から紐や針金を入れ、その先端を室内側のサムターン４に係合し、デッドボルト３を操作するというものである。
【０００６】
このような不正解除の対策としては、サムターン４の周囲を樹脂プレート等で覆う方法がある。
【０００７】
【発明が解決しようとする課題】
しかし、この方法は、外観的に好ましくないのみでなく、サムターン７の通常操作時に樹脂プレートが邪魔になるという不具合もある。
【０００８】
また、ドリルによる穴明けを防止するためにドアに超鋼の板材を取り付けるという手段もあるが、その取付作業が面倒なばかりでなく、取付位置あるいは大きさによっては効果がなく、コスト的にも不利で好ましくない。
【０００９】
本発明は、上記従来技術の課題を解決するためになされたものであり、サムターンの不正解除を行ないにくく、通常の使用時に邪魔にならず、取付作業あるいはコスト的にも有利なサムターンの不正解除防止装置を提供することを目的とする。
【００１０】
【課題を解決するための手段】
本発明の目的は、下記する手段により達成される。
【００１１】
（１）  室内側に設けられたつまみ部を回動することにより軸部及び締まり機構を介してデッドボルトを鍵箱より出没させるサムターンにおいて、前記つまみ部を軸直角断面円形状としたことを特徴とするサムターンの不正解除防止装置。
【００１２】
（２）  前記つまみ部は、外周面を中高の円弧面としたことを特徴とする前記（１）のサムターンの不正解除防止装置。
【００１３】
（３）  前記サムターンは、前記つまみ部と化粧板との間に設けられたカラー部材を軸直角断面円形状としたことを特徴とする前記（１）又は（２）のサムターンの不正解除防止装置。
【００１４】
（４）  前記カラー部材は、前記軸部を中心として回動し得るように設けたことを特徴とする前記（１）〜（３）のサムターンの不正解除防止装置。
【００１５】
（５）  前記つまみ部は、既設サムターンのつまみ体が嵌合する嵌合溝を前記軸部に有する前記（１）〜（４）のサムターンの不正解除防止装置。
【００１６】
（６）  前記軸部は、既設サムターンのつまみ体と連結する固定部材を有する前記（５）のサムターンの不正解除防止装置。
【００１７】
（７）  前記サムターンは、前記つまみ部又はカラー部材が回動すると、警報装置が作動するようにしたことを特徴とする前記（１）〜（６）のサムターンの不正解除防止装置。
【００１８】
【発明の実施の形態】
以下、添付した図面を参照して、本発明の実施の形態を説明する。
【００１９】
＜第１実施形態＞
図１は本発明の第１実施形態に係るサムターンを示す概略断面図、図２は図１の２−２線に沿う端面図、図３は図１の３−３線に沿う断面図である。なお、図６に示す部材と共通する部材には同一符号を使用する。
【００２０】
図１において、本実施形態のサムターン１０は、つまみ部１１と、該つまみ部１１と一体的に設けられた軸部１２と、この軸部１２の周囲に設けられたカラー部材１３と、化粧板１４と、サムターン裏座１５と、ビス１６によりサムターン裏座１５に取り付けられたばね受け部材１７と、前記化粧板１４をドアＤに当接するばね１８とを有している。
【００２１】
このつまみ部１１を把持し回動操作すると、軸部１２が回動し、この回動が軸部１２の端部に連結されている締まり機構Ｍに伝達され、デッドボルト３を鍵箱１より出没させるようになっている。なお、このデッドボルト３は、ドアＤの室外側に設けられたシリンダ錠（図示せず）によっても操作できる。
【００２２】
特に、本実施形態のサムターン１０は、前記つまみ部１１が、外部からの紐や針金が係合しないように軸直角断面円形状とされている。外部からの紐や針金等による不正開錠は、つまみの平坦な部分を利用し、これに紐や針金等を係合して行なうので、これを断面円形状とすれば、このような事態が生じることはなく、簡単に不正解除を防止することができる。
【００２３】
また、このつまみ部１１の外周面も中高の円弧面に形成すると、一層紐や針金等がつまみ部１１に係合しにくく、不正解除の防止からすればより好ましいものとなる。ただし、サムターン１０の通常操作を容易にするために、図２に示すように、前記つまみ部１１の外周面に凹凸部１９を形成しても良い。
【００２４】
サムターン１０の種類によっては、つまみ部１１がドアＤの直近位置にあり、ドアＤからの突出長さが短いために、カラー部材１３の取付が不要な場合があるが、カラー部材１３を使用できるサムターン１０では、当該カラー部材１３を前記つまみ部１１と同様に、外部からの紐や針金が係合しないように軸直角断面円形状に形成することが好ましい。
【００２５】
しかも、このカラー部材１３は、合成樹脂により構成し、滑り易くするとともに、図３に示すように、軸部１２と化粧板１４の間に隙間Ｇを形成し、軸部１２を中心として回動するように構成すれば、紐や針金が係合されてもカラー部材１３が空転することになるので、より一層不正解除を防止できることになる。
【００２６】
次に、作用を説明する。
【００２７】
ドアＤと枠の隙間や、ドリルでドアＤに明けた穴に、外部から紐や針金を入れ、その先端を室内側のサムターン１０に係合させることを試みたとする。
【００２８】
この場合、例えば、つまみ部１１に紐や針金を係合しようとした場合には、まず、このつまみ部１１は、外周面が中高の円弧面とされているので、紐や針金が係合しにくく、つまみ部１１の外側あるいは内側に脱落することになる。仮に、係合したとしても、紐や針金等を牽引するのみでは、つまみ部１１が軸直角断面が円形状であるため、つまみ部１１を回動させることはできない。
【００２９】
したがって、外部からの紐等によってつまみ部１１を操作することはできず、つまみ部１１を利用したサムターン１０の不正開錠は防止できる。
【００３０】
次に、外部から紐や針金等が、つまみ部１１から滑り落ち、カラー部材１３の周囲に係合した場合には、紐等の牽引によってカラー部材１３が回動することもある。しかし、このカラー部材１３は、軸部１２を中心として回動可能に設けられているので、カラー部材１３は空転するのみで、軸部１２を回動させることはできない。
【００３１】
したがって、カラー部材１３に係合した紐等の牽引によっても、サムターン１０を操作することはできず、不正解除が防止される。
【００３２】
＜第２実施形態＞
図４は本発明の第２実施形態に係るサムターンを示す概略斜視図である。図４に示す第２実施形態のサムターン１０ａは、既設サムターン４のつまみ体４ａと連結して使用するように構成したものである。
【００３３】
一般に既設サムターン４のつまみ４ａは、円盤状の基部から板状のつまみ４ａが突出した形状となっている。したがって、この既設サムターン４のつまみ４ａと連結するサムターン１０ａのつまみ部１１ａは、軸部１２ａを前述した第１実施形態の軸部１２より短くし、その先端につまみ４ａが嵌合する嵌合溝２０を形成し、この嵌合溝２０の側部に通孔２１も形成する。
【００３４】
また、カラー部材１３ａには、つまみ４ａが軸部１２ａに嵌合したとき、外部からビス等の固定部材２２を挿入する通孔２２を形成する。ただし、この固定部材２２は、ビスのみでなく両面に接着剤が塗布されているテープなどを使用しても良い。この場合は、通孔２１，２２を設けなくても良い。
【００３５】
このように構成したサムターン１０ａを取り付けるには、まず、既設サムターン４のつまみ４ａにカラー部材１３ａを被せるように設け、次に、このカラー部材１３ａ内につまみ部１１ａの軸部１２ａを挿入し、軸部１２ａの先端に形成された嵌合溝２０につまみ４ａを嵌合させる。
【００３６】
この嵌合後、カラー部材１３の通孔２３からビス等の固定部材２２を挿入する。なお、ビスの場合は、軸部１２ａの通孔２１まで挿入し、カラー部材１３の回動の邪魔にならないようにする。
【００３７】
このビスの挿入螺合によりつまみ４ａは、軸部１２ａに連結され、カラー部材１３ａは軸部１２ａを中心として空転可能に保持される。
【００３８】
この結果、本実施形態においても、外部から紐や針金等が挿入されても、つまみ部１１から滑り落ちることになり、カラー部材１３ａの周囲に係合した場合には、紐等の牽引によってもカラー部材１３は、軸部１２ａを中心として空転するのみで、軸部１２ａを回動させることはなく、サムターン１０ａの不正解除が防止される。
【００３９】
＜第３実施形態＞
図５は本発明の第３実施形態に係るサムターンを示す概略説明図である。図５に示す第３実施形態のサムターン１０ｂは、カラー部材１３ｂが回動すると、警報装置３０が作動するように構成したものである。本実施形態のカラー部材１３は、その一部にカム部３１が設けられ、このカム部３１により警報装置３０が作動するようにしている。
【００４０】
警報装置３０は、このカム部３１の下部にばね３２により弾発された従動板３３がカラー部材１３ｂに当接するように設けられ、この従動板３３がカム部３１により下降されたとき、スイッチ３４がオンし、ブザー３５が警報を発するようにしている。
【００４１】
このようにすれば、外部から挿入された紐や針金等が、カラー部材１３ｂの周囲に係合し、紐等の牽引によってもカラー部材１３ｂが軸部１２を中心として空転すると、従動板３３がカム部３１に押されて下降することになる。
【００４２】
この結果、スイッチ３４がオンし、ブザー３５が警報を発し、サムターン１０ｂの不正解除が防止される。
【００４３】
本実施形態では、カム部３１をカラー部材１３ｂの上部に設け、その１８０°反対側に従動板３３が当接するように、つまり、カラー部材１３が１８０°回転した場合に警報を発するようにしているが、このカム部３１と従動板３３の設置位置関係は、どのような角度関係であっても良いことは言うまでもない。
【００４４】
また、前記実施形態では、カラー部材１３ｂにカム部３１を設けているが、これに限定されるものではなく、つまみ部１１にカム部３１を設けてもよい。
【００４５】
このように本発明では、ドリルによる穴明けを防止するためにドアに超鋼の板材を取り付けなくても、つまみ部１１あるいはカラー部材１３を直接サムターンあるいは既設サムターンを利用して取り付ければ、不正開錠を防止できるので、装置の取付作業あるいはコスト的にも有利で好ましいものとなる。また、サムターン１０やカラー部材は、軸直角断面円形であるため、成形加工が容易で、この点でもコスト的に有利となる。
【００４６】
本発明は、上記した実施形態のみに限定されるものではなく、特許請求の範囲内において、種々改変することができる。例えば、前記実施形態では、つまみ部１１は、軸直角断面円形状としているが、ここでの「円」とは、多少変形したものであっても良く、場合によっては円弧状と凹部が繰り返されるようなものでもよい。つまり、外部からの紐あるいは針金のようなものが係合できない、全体的に見て実質円であれば良い。
【００４７】
また、サムターンの回動性を高めるためにボール等を使用してもよい。さらに、警報装置に関しても、住人等にサムターンの不正解除を知らしめることができるものであれば、どのようなものでも良く、聴覚のみでなく視覚、触覚などに訴えるものなど種々のものが考えられる。
【００４８】
【発明の効果】
以上説明したように、請求項１の発明は、つまみ部を軸直角断面円形状としたので、サムターンの不正解除を行ないにくく、通常の使用時に邪魔にならず、取付作業あるいは部品点数的にも有利なできる。また、製造も容易にできるので、コスト的にも有利となる。
【００４９】
請求項２の発明は、つまみ部は、外周面を中高の円弧面としたので、さらにサムターンの不正解除を行ないにくくなる。
【００５０】
請求項３の発明は、カラー部材を軸直角断面円形状としたので、さらにサムターンの不正解除を行ないにくく、また、製造も容易にできるので、コスト的にも有利となる。
【００５１】
請求項４の発明は、カラー部材が軸部を中心として回動し得るようにしたので、さらにサムターンの不正解除を行ないにくくなる。
【００５２】
請求項５，６の発明は、既設サムターンのつまみ体に軸部を嵌合させてしようするサムターンとしたので、サムターンの不正解除を極めて低コストで行なうことができる。
【００５３】
請求項７の発明は、つまみ部又はカラー部材が回動すると、警報装置が作動するようにしたので、サムターンが不正に操作されるのみで、住人などに知らしめることができ、また、不正解除自体を行ないにくくすることができる。
【図面の簡単な説明】
【図１】本発明の第１実施形態を示す概略断面図である。
【図２】図１の２−２線に沿う端面図である。
【図３】図１の３−３線に沿う断面図である。
【図４】本発明の第２実施形態を示す概略斜視図である。
【図５】本発明の第３実施形態を示す概略説明図である。
【図６】従来のサムターン部分の分解斜視図である。
【符号の説明】
１…鍵箱、
３…デッドボルト、
４ａ…つまみ体、
１０…サムターン、
１１…つまみ部、
１２…軸部、
１３…カラー部材、
１４…化粧板、
１９…凹部、
２０…嵌合溝、
２２…固定部材、
３０…警報装置、
Ｍ…締まり機構。
【図１】
2004156401.tif 000003
【図２】
2004156401.tif 000004
【図３】
2004156401.tif 000005
【図４】
2004156401.tif 000006
【図５】
2004156401.tif 000007
【図６】
2004156401.tif 000008